(57)【要約】【課題】ポータブルで、室内照明灯または室外日光のもとで、携帯電話あるいは電池に充電する充電装置を提供すること。【解決手段】多様な光源で使用可能な充電装置である。本体には少なくとも、複数の光源からの光を受けて電圧を生じる太陽電池１と、太陽電池１と連接し、電圧が昇圧できる充電回路モジュール２と、充電回路モジュール２と連接するアダプタ３、とを含む。アダプタ３はＵＳＢアダプタまたは直流電源充電アダプタであり、携帯電話等の被充電装置と接続される。【選択図】図３
2009153372.tif 000002
【特許請求の範囲】
【請求項１】
多様な光源で使用可能な充電裝置であって、
複数の種類の光源からの光を受けて電圧を生じる少なくとも一つの太陽電池と、
該太陽電池と連接し、前記電圧が昇圧できる充電回路モジュールと、
該充電回路モジュールと連接する一つのアダプタと、を有する充電装置。
【請求項２】
前記太陽電池は色素増感太陽電池である、請求項１に記載の充電装置。
【請求項３】
前記色素増感太陽電池は第１電極と第２電極とを含み、前記第１電極は第１導電層と白金触媒層とを含み、前記第１導電層は第１基材と第１透明導電酸化物とを含み、前記白金触媒層は前記第１透明導電酸化物に付着し、前記第２電極は第２導電層とナノ層とを含み、前記第２導電層は第２基材と第２透明導電酸化物とを含み、前記ナノ層は光半導体の酸化物を含み、該光半導体の酸化物上の多数の色素は電解液に浸される、請求項２に記載の充電装置。
【請求項４】
前記第１基材と前記第２基材の材質はガラスまたは可撓性基材である、請求項３に記載の充電装置。
【請求項５】
前記可撓性基材は金属または高分子薄膜である、請求項４に記載の充電装置。
【請求項６】
前記金属はステンレスまたはチタン化合物である、請求項５に記載の充電装置。
【請求項７】
前記高分子薄膜はＰＥＴまたはＰＥＮである、請求項５に記載の充電装置。
【請求項８】
前記充電回路モジュールは昇圧回路を含み、前記太陽電池の電圧を昇圧可能である、請求項１に記載の充電装置。
【請求項９】
前記アダプタはＵＳＢアダプタまたは直流電源充電アダプタである、請求項１に記載の充電装置。
【請求項１０】
更に、前記太陽電池を形成する電池セットを含み、該電池セットは一つの第１電池と一つの第２電池とを含み、前記第１電池と前記第２電池との間は第１導線で連接される、請求項１に記載の充電装置。
【請求項１１】
前記第１電池と前記第２電池との相対応する側はピボットで連接され、互いに折り曲げ可能である、請求項１０に記載の充電装置。
【請求項１２】
前記第１電池は第１軸カバーと第２軸カバーとを含み、前記第１軸カバーと前記第２軸カバーとは前記第１電池の片側に設置され、前記第２電池は第３軸カバーと第４軸カバーとを含み、前記第３軸カバーと前記第４軸カバーとは前記第２電池の片側に設置され、前記第３軸カバーと前記第４軸カバーとはそれぞれ前記第１軸カバーと前記第２軸カバーの外側に設置され、前記第１軸カバーと前記第３軸カバーとには第１軸体が挿入されるとともに、前記第２軸カバーと前記第４軸カバーとには第２軸体が挿入されることで、前記第１電池と前記第２電池とは折り曲げ動作可能となる、請求項１１に記載の充電装置。
【請求項１３】
前記太陽電池を形成する電池セットを含み、該電池セットは第３電池と第４電池とを含み、前記第３電池と前記第４電池との間は第２導線で連接され、前記第３電池には収納槽が設けられ、前記第４電池は第３電池の収納槽内に収納可能である、請求項１に記載の充電装置。
【請求項１４】
前記第３電池の収納槽は方形槽であり、前記収納槽の相対応する両側には、第１レール槽と第２レール槽が設けられ、前記第４電池の両側には相対応する第１凸レールと第２凸レールが設置され、前記第１凸レールと前記第２凸レールとは前記第１レール槽と前記第２レール槽内に挿入され、前記第４電池は前記第３電池の収納槽に引き出し可能に収納される、請求項１３に記載の充電装置。
【請求項１５】
更に、前記充電回路モジュールに連接され、該充電回路モジュールから提供される電気を蓄える蓄電素子を含む、請求項１に記載の充電装置。
【請求項１６】
多様な光源で使用可能な充電装置であって、
本体と、
前記本体に設置され、複数種の光源からの光で電圧を生じる少なくとも一つの太陽電池と、
該本体に設置され、前記太陽電池と連接し、前記電圧が昇圧できる充電回路モジュールと、
前記本体内に設置され、前記充電回路モジュールと連接し、特定の被充電装置を充電する充電座と、を有する充電装置。
【請求項１７】
前記太陽電池は色素増感太陽電池である、請求項１６に記載の充電装置。
【請求項１８】
前記本体は第１板と第２板とを含み、前記第１板と前記第２板とは互いに連接し且つ回転可能であり、前記太陽電池は前記第１板と前記第２板との上にそれぞれ設置され、この二個の板上の太陽電池の間は、第３導線で連接される、請求項１６に記載の充電装置。
【請求項１９】
前記充電座は前記第１板または前記第２板上に設置される、請求項１８に記載の充電装置。
【請求項２０】
アダプタが前記充電回路モジュールに連接される、請求項１６に記載の充電装置。
【請求項２１】
更に、前記充電回路モジュールと連接し、該充電回路モジュールが提供する電気を蓄える蓄電素子を含む、請求項１６に記載の充電装置。
【請求項２２】
更に、蓄電素子を含み、前記充電回路モジュールと連接し、該充電回路モジュールが提供する電気を蓄える、請求項２０に記載の充電装置。
【請求項２３】
前記本体は上部に平坦面を有する四角錐形座体であり、前記太陽電池は前記四角錐形座体の四つの表面上に設けられ、前記充電座は前記平坦面上に設置される、請求項１６に記載の充電装置。
【請求項２４】
前記四角錐形座体は更に四角錐形体と連接し、該四角錐形体は前記四角錐形座体の前記平坦面上に設置されて、全体としてピラミット状となり、前記四角錐形体は前記四角錐形座体に対して回転可能である、請求項２３に記載の充電装置。
【請求項２５】
更に、前記充電回路モジュールと連接し、該充電回路モジュールの提供する電気を蓄える蓄電素子を含む、請求項２３に記載の充電装置。
【請求項２６】
前記本体はテーブルであり、該テーブルはテーブル板を含み、前記太陽電池はテーブル板上に設置される、請求項１６に記載の充電装置。
【請求項２７】
前記テーブル板の本体が太陽電池である、請求項２６に記載の充電装置。
【請求項２８】
更に、前記充電回路モジュールと連接し、該充電回路モジュールの提供する電気を蓄える蓄電素子を含む、請求項２６に記載の充電装置。
【発明の詳細な説明】
【技術分野】
【０００１】
本発明は充電装置であって、特に多様な光源で使用可能な充電装置に関するものである。
【背景技術】
【０００２】
携帯電話は非常に一般的な連絡道具であるが、機能の増加に伴い、電気の消費量も増加し、使用時間も短くなる。現在のリチウム電池では電池機能の向上に限界があり、電池の容量は制限され、携帯電話の待ち受け時間と長時間の通話には不十分で、新しい携帯電話を購入する度に、充電器も必要となる。携帯電話の充電には充電器以外にも、電池による給電器を使用するが、電池の交換が頻繁であり、コストも高く、環境にも影響を及ぼす。太陽電池で携帯電話に充電することも考えられるが（通常はシリコンまたは薄膜太陽電池）、室外で太陽光線がある時に限られるので、使用に際して非常に不便である。
【０００３】
現在、最新の色素増感太陽電池があり、低日照量または室内照明の光源のもとで、高い変換効率特性を持つ。色素増感太陽電池が光源からの光を受け、色素分子から電子が放出され、光半導体の酸化物から導電ガラスに転送され、電圧を発生し、電流を供給できる。
【０００４】
色素増感太陽電池は主に、光電気化学（ｐｈｏｔｏ  ｅｌｅｃｔｒｏｃｈｅｍｉｃａｌ）のエネルギーのメカニズムを利用して発電し、その原理はシリコン／シリコン薄膜などを使用したシリコン原料からなる太陽電池とは異なる。色素増感太陽電池の構造は、主に上下二枚の導電ガラス（ＴＣＯ  ｇｌａｓｓ)または金属や高分子薄膜の可撓性材質を材
料とする導電薄膜である。そのうちの一枚は電極で、その上に、例えばナノレベルの二酸化チタン導電層（ＴｉＯ２)のような半導体酸化物があり、もう一枚は対電極で、その上
に白金層(Ｐｌａｔｉｎｕｍ)がある。二枚の電極間に色素（Ｄｙｅ)と電解質(Ｅｌｅｃｔｒｏｙｔｅ)とがあり、適切なパッキングをすれば太陽電池となる。太陽光に当たると、
色素から電子が二酸化チタンを経由して、導電ガラスまたは導電薄膜に伝達されて発電し、再び対電極から白金の触媒作用を経て、電解質の酸化還元反応で色素分子に戻る。色素増感太陽電池の太陽スペクトルの吸収は可視光線の範囲にあり、室外で太陽照射を受けた時に電力を生じる他に、室内での比較的に光の低照量や照明灯具でも電力を生成できるので、室外と室内共に適用可能である。ほかに、この原料は不足することなく、製造する上でも高価な真空メッキの設備を必要としないので、大幅にコストダウンが可能であり、量産コストはシリコン電池より低く、多用途にわたる応用可能な潜在力を持つ新型太陽電池である。
【発明の開示】
【発明が解決しようとする課題】
【０００５】
本発明の目的は、色素増感太陽電池が室内外ともに発電能力を持つ特性を利用して、充電モジュールと蓄電素子の技術を組合せることにより、ポータブルで、室内照明灯または室外日光のもとで、携帯電話等の充電式電池に充電することができる充電装置を提供することにある。
【０００６】
本発明の次の目的は、ポータブルで多様な光源で使用可能な充電装置を提供することにある。
本発明の多様な光源にて使用可能な充電装置の第１実施例は、一つの太陽電池と充電回路のモジュールと一つのアダプタとを含む。また、第２、第３の実施例は、一組の太陽電池を含み、この実施例は、光源からの光を受ける面積を増やし、ポータブルで、場所を取らないなどの利点を有する。例えば、折り曲げ式の電池セットまたは引出し式電池セット
がある。折り曲げ式電池セットはピボットで連接され、互いに折り曲げることが出来る。引出し式電池セットは一つの電池をもう一つの電池の中に収納可能である。
【０００７】
また、本発明のもう一つの実施形態は、上部に平坦面を有する四角錐形座体と四角錐体を含み、四角錐体は四角錐形座体の平坦面上に設置されて、全体としてピラミット状になる。四角錐体は四角錐座体に対して回転可能に連接される。太陽電池は四角錐座体上の四つの面に設置され、充電座は四角錐座体の平坦面上に設置される。
【０００８】
さらに、本発明のもう一つの実施形態は、一つのテーブルであり、テーブル板に色素増感太陽電池を一つ設置でき、またテーブル板そのものが色素増感太陽電池からなる。
上記の全ての実施例の形態は更に、充電回路モジュールと連接し、充電回路モジュールが電気を提供する電気を蓄える蓄電素子を含む。
【０００９】
よって、上記の各実施例に基づき、本発明はポータブルで、室内灯の照明または室外の日光のもとで携帯電話の充電の効果があり、多様な光源からの光を利用できる新規な充電装置である。
【発明を実施するための最良の形態】
【００１０】
図１は従来の携帯電話の充電を示す。従来の携帯電話は外部の充電器１４を使って、携帯電話内部の充電式電池１５に対して充電する。図２は周知の太陽電池充電を示す図であり、太陽電池１を利用して外部光源の光を受け取り、充電式電池１５に対して充電する。本発明の充電装置の太陽電池は室内、室外で携帯電話などの被充電装置に充電でき、さらに、本発明の充電装置は携帯電話、ＰＤＡ、高知能型携帯電話などの全てが本発明の技術的思想の範囲内である。
【００１１】
図３、図４、図５は、本発明の多様な光源で使用可能な充電装置の第１実施例の斜視図と、充電装置のモジュールを示す図と、充電回路モジュールの回路を示す図である。本発明の充電装置は、少なくとも、一つの太陽電池１と、一つの充電回路モジュール２と、一つのアダプタ３とを含み、太陽電池１は、室内照明器具等の多様な異なる光源の光を受け、電圧を発生する。この光源は太陽光、白熱灯、または室内照明器具など、光を発するもの全て含み、本発明と同じ效果を持つ。太陽電池１は色素増感太陽電池またはその他の同じ効果の太陽電池である。本発明の太陽電池１の実施例は色素増感太陽電池であるが、他の太陽電池も本発明の技術的思想内で使用されるので、本発明は制限を受けない。
【００１２】
図６を参照して、図に示すように色素増感太陽電池は、第１電極１００と、第２電極２００とを含み、第１電極１００は、さらに、白金触媒層１０２と、第１基材１０３及び第１透明伝導酸化物１０４を含む第１導電層１０１とからなり、白金触媒層１０２は第１透明導電酸化物１０４上に付着される。第２電極２００は、第２導電層２０１とナノ層３００とを含み、第２導電層２０１は、第２基材２０２と第２透明導電酸化物２０３とを含む。ナノ層３００は光半導体の酸化物３０１を含み、光半導体の酸化物３０１上の多数の色素３０２は電解液３０３に浸され、この構成により色素増感太陽電池は、太陽光を電気に変換できる。光半導体の酸化物は二酸化チタン或いは酸化亜鉛、またはその他の同等の酸化物でも良い。これは従来の技術なので、ここで詳しい説明を省く。また、上記の第１基材１０３と第２基材２０２の材質はガラス(Ｇｌａｓｓ)または可撓性材質（ＦｌｅｘｉｂｌｅＭａｔｅｒｉａｌ)であり、可撓性基材は金属や高分子薄膜であり、金属はステンレ
スやチタン化合物などであるが、これに限らない。高分子薄膜の材質はポリエチレンテレフタレート（Ｐｏｌｙｅｔｈｙｌｅｎｅ  ｔｅｒｅｐｈｔｈａｌａｔｅ，ＰＥＴ)、ポリ
エチレンナフタレート（Ｐｏｌｙｅｔｈｙｌｅｎｅ  ｎａｐｈｔｈａｌａｔｅ，ＰＥＮ)
などであるが、これに限らない。
【００１３】
充電回路モジュール２は太陽電池１と接続し、充電回路モジュール２を使用して電圧を昇圧させ、携帯電話に電力を提供する。充電回路モジュール２は、昇圧回路を含み、太陽電池１の電圧が昇圧回路へ出力された時に電圧が昇圧される。アダプタ３はＵＳＢアダプタ、または直流電源充電アダプタであるので、異なる携帯電話あるいは様々な被充電装置の接続に便利である。よって、本発明の第１実施例では、色素増感太陽電池が、室内では白熱灯またはスタンドの照明器具の光を受取り、室外では太陽光を受取り、そして受け取った光を電気エネルギーに変換できるので、携帯電話に対して好適な充電の機能を持つ。
【００１４】
一般的に太陽電池は室内で光に対する反応が異なるので、その中で色素増感太陽電池は比較的に効率がよく、携帯電話の充電電源の提供に適合していると言える。表１に示すように、一般的に携帯電話の電気消費量は通話時において約１０６８ｍＷで、待ち受け時には２．３ｍＷだけかかる。
【００１５】
【表１】
2009153372.tif 000003
【００１６】
表２と表３は本発明の色素増感太陽電池の室内照明での電圧／電流の測定データを示す。
【００１７】
【表２】
2009153372.tif 000004
表２  色素増感太陽電池における電流／照度の関係
【００１８】
【表３】
2009153372.tif 000005
表３  色素増感太陽電池における電圧／照度の関係
【００１９】
上記の表２により、照度が３００〜５３００Ｌｕｘの時、約０．５〜０．６Ｖの電圧を得られる。電流の大きさと照度及び電池の受光面積との間には相関関係があり、例えば５３００Ｌｕｘの時では電流は約２５ｍＡなので、携帯電話の充電には十分である。よって、色素増感太陽電池を適切に製品設計すれば、ポケットで持ち運びに便利となる。
【００２０】
図７と図８は、本発明の多様な光源で使用可能な充電装置の第２実施例の斜視図及び分解斜視図である。色素増感太陽電池セットは第１電池４と、第２電池５とを含み、第１電池４と第２電池５との間は第１導線６で連接し、電流は第１電池４からアダプタ５２を持つ第２電池５に伝わり携帯電話に給電できる。例えば、第１電池４の電流が第２電池５に流れて、第２電池５に充電回路モジュール５１が接続され、充電回路モジュール５１はアタプタ５２と接続して、電流は昇圧回路に流れた後、即ち、アタプタ５２と携帯電話の連
接を通って携帯電話を充電する。第１電池４と第２電池５は対応する側でピボット７、８と連接し、お互いに折り曲げたり、折り畳み収納が可能となる。第１電池４は第１軸カバー７１と第２軸カバー８１を含み、第１軸カバー７１と第２軸カバー８１は第１電池４の片側に設置されている。第２電池５は第３軸カバー７２と第４軸カバー８２を含み、第３軸カバー７２と第４軸カバー８２は第２電池５の片側に設置され、第３軸カバー７２と第４軸カバー８２はそれぞれ第１軸カバー７１と第２軸カバー８１の外側に位置する。第１軸カバー７１と第３軸カバー７２とには第１軸体７３が挿入されて前記ピボット７が形成され、第２軸カバー８１と第４軸カバー８２とには第２軸体８３が挿入されて前記ピボット８が形成される。よって、第１電池４と第２電池５はピボット７、８で折り曲げ動作可能となる。本実施例は二重畳式を例に説明しているが、本実施例に限らない。本発明は二重畳式、三重畳式も可能で、または以上のものは全て本発明の創作思想に包括される。
【００２１】
図９と図１０は本発明多様な光源で使用可能なポータブル式の充電装置の第３実施例の斜視図及び分解斜視図を示す。色素増感太陽電池セットは第３電池９と第４電池１０とを含み、第３電池９は充電回路モジュール９４と接続し、充電回路モジュール９４はアダプタ９５と接続し、第３電池９と第４電池１０との間は第２導線１１で連接され、電流は第４電池１０からアダプタ９５を持つ第３電池９に流れ携帯電話に給電する。第３電池９は収納槽９１を持ち、第４電池１０は第３電池９の収納槽９１内に収納できる。
【００２２】
図１１、図１２は本発明の多様な光源で使用可能なポータブル式の充電装置の第３実施例の第３電池側を示す図、及び第３実施例の第４電池の斜視図である。第３電池９の収納槽９１は方形槽で、収納槽９１の対応する両側には別々に第１レール槽９２と第２レール槽９３とが設置される。第４電池１０の両側に対応して、それぞれ第１凸レール１２と第２凸レール(図示せず)とが設置され、第１凸レール１２と第２凸レールはそれぞれ第１レール槽９２と第２レール槽９３内に挿入でき、第４電池１０は第３電池９の収納槽９１に引き出し可能に収納できる。
【００２３】
図１３、図１４は本発明の多様な光源で使用可能な充電装置の第４実施例の斜視図及びブロック図を示す。この実施例で、本発明の多様な光源で使用可能な充電装置１００の本体１０２は、少なくとも、本体１０２上に設置され、多種の光源からの光で電圧を発生可能である一つの太陽電池１０３と、本体１０２内に設置され、太陽電池１０３と連接して電圧が昇圧できる充電回路モジュール１０４と、本体の１０２上に設置され、充電回路モジュール１０４と連接して特定の被充電装置を充電する充電座１０５と、を含む。被充電装置は電池また携帯電話である。
【００２４】
太陽電池１０３は前記の各実施例と同じなので、ここでは詳しい説明を省く。充電回路モジュール１０４は昇圧回路を含み、色素増感太陽電池で発生した電圧を昇圧させる。
図１５、図１６はそれぞれ本発明の多様な光源で使用可能な充電装置の第５実施例の斜視図及びブロック図を示す。この実施例では、充電装置１０６の本体１０２は、少なくとも、本体１０２上に設置され、多種類の光源からの光で電圧を発生する一つの太陽電池１０３と、本体１０２内に設置され、太陽電池１０３と連接して電圧が昇圧できる充電回路モジュール１０４と、本体１０２上に設置され、充電回路モジュール１０４と連接して特定の被充電装置を充電（被充電装置は電池または携帯電話等）する充電座１０５と、充電回路モジュール１０４と連接するアダプタ１０７と、を含む。アダプタ１０７はＵＳＢアダプタまたは直流電源の充電アダプタであり、携帯電話またはその他の装置の充電に使用される。
【００２５】
図１７、図１８は本発明の多様な光源で使用可能な充電装置１０８の第６実施例の斜視図及び分解斜視図を示す。この実施例で、充電装置１０８の本体１０９は、少なくとも、本体１０９上に設置され、多種類の光源からの光で電圧を発生する太陽電池１１０と、本
体１０９内に設置され、太陽電池１１０と連接して電圧が昇圧できる充電回路モジュール(図示せず)と、本体１０９上に設置され、充電回路モジュールと連接して特定の被充電装置を充電する充電座１１２とを含む。被充電装置は電池あるいは携帯電話である。
【００２６】
本体１０９は、第１板１１３と第２板１１４を含み、第１板１１３と第２板１１４は互いに連接して回転可能である。太陽電池１１０は第１板１１３上と第２板１１４上とにあり、充電座１１２は第１板１１３上に設置される。
【００２７】
太陽電池１１０は、少なくとも、二個の色素増感太陽電池で電池セットを形成し、電池セットは第１電池と第２電池とを含み、第１電池と第２電池との間は第３導線１１５で連接し、第１電池は第１板１１３に位置し、第２電池は第２板１１４上に位置する。
【００２８】
第１板１１３は、第２板１１４に対してピボットで連接される。第１板１１３のピボットは第１軸カバー１１６と第２軸カバー１１７を含み、第１軸カバー１１６と第２軸カバー１１７は、第１板１１３の片側に設置される。第２板１１４のピボットは第３軸カバー１１８と第４軸カバー１１９を含み、第３軸カバー１１８と第４軸カバー１１９は第２板１１４の片側に設置され、第３軸カバー１１８と第４軸カバー１１９はそれぞれ第１軸カバー１１６と第２軸カバー１１７の外側に設置される。
【００２９】
第１軸カバー１１６と第３軸カバー１１８とには第１軸体２２０が挿入されてピボットが形成される。第２軸カバー１１７と第４軸カバー１１９とには第２軸体２２１が挿入されてピボットが形成される。これにより、第１板１１３と第２板１１４とはピボットで折り曲げ動作可能となる。
【００３０】
図１９は本発明の多様な光源で使用可能な充電装置２２２の第７実施例の斜視図を示す。この実施例において、本発明の充電装置２２２の第７実施例と本発明の充電装置１０８の第６実施例との相違は、更にアダプタ２２３が充電回路モジュール(図示せず)に接続されていることである。アダプタ２２３はＵＳＢアダプタあるいは直流電源の充電アダプタである。
【００３１】
この他に、上記の第１〜第６実施例の充電装置は、更に蓄電素子(図示せず)を含んでもよい。蓄電装置は充電回路モジュールと連接し、充電回路モジュールが供給する電気を蓄えるために使用される。
【００３２】
図２０は本発明の多様な光源で使用可能なれる充電装置２２４の第８実施例の斜視図を示す。この実施例で、充電装置２２４の本体２２５は、少なくとも、本体２２５上に設置され、多種の光源からの光で電圧を生じる太陽電池２２６と、本体２２５内に設置され、太陽電池２２６と連接して電圧が昇圧できる充電回路モジュール(図示せず)と、本体２２５上に設置され、充電回路モジュールと連接して特定の被充電装置を充電する充電座２２７と、を含む。被充電装置は電池または携帯電話である。
【００３３】
本体２２５は上部に平坦面を有する四角錐形座体２２５１を含み、太陽電池２２６として、複数の色素増感太陽電池が四角錐形座体２２５１の四つの表面上に分布する。充電座２２７は四角錐形座体２２５１の平担面上に設置される。
【００３４】
図２１と図２２は本発明の多様な光源で使用可能な充電装置２２８の第９実施例の斜視図と状態図を示す。この実施例で、本発明の充電装置２２８の第９実施例と、本発明の充電装置２２４の第８実施例との相違は、充電装置２２８が更に四角錐形体２２９を含むことである。四角錐形体２２９は四角錐形座体２２５１の前記平坦面上に設置されて、全体としてピラミット状となり、四角錐形体２２９は四角錐形座体２２５１に回転可能に連接
する。四角錐形座体２２５１と四角錐形体２２９の対応する側の縁とはピボット２３０で連接される。ここで、四角錐形体２２９は回転できる。なお、四角錐形座体２２５１に代えて、円錐形座体や三角錐形座体等、その他の形状の錐形座体が用いられてもよい。この場合、四角錐形体２２９に代えて、錐形座体の形状に対応した形状の錐形体が用いられる。また、上記の第７、第８実施例の充電装置は、更に蓄電素子(図示せず)を含んでもよい。蓄電装置は充電回路モジュールに連接され、充電回路モジュールが供給する電気を蓄えるのに使用される。
【００３５】
図２３は本発明の多様な光源で使用可能な充電装置３３１の第１０実施例の斜視図を示す。この実施例で、充電装置３３１の本体３３２は、少なくとも、本体３３２上に設置され、多種類の光源からの光を受けて電圧を生じる一つの太陽電池３３３と、本体３３２内に設置され、太陽電池３３３と連接して電圧が昇圧できる充電回路モジュール(図示せず)と、本体３３２上に設置され、充電回路モジュールに連接して特定の被充電装置を充電する充電座３３４と、を含む。被充電装置は電池または携帯電話である。
【００３６】
本体３３２はテーブルで、テーブルはテーブル板とテーブル板の下に設けられる四本の足とを含む。太陽電池は色素増感太陽電池を含み、テーブル板上に設置される。
図２４は本発明の多様な光源で使用可能な充電装置３３５の第１１実施施例の斜視図を示す。この実施例で、充電装置３３５の第１１実施例と、充電装置３３１の第１０実施例との相違点は、充電装置３３５が更に蓄電素子３３６を含むことである。蓄電素子３３６は充電回路モジュールと連接し、充電回路モジュールが供給する電気を蓄える為に使用され、蓄電素子３３６は充電座３３４に連接する。
【００３７】
図２５は本発明の充電装置の第１２実施例の斜視図を示す。本実施例と第１０実施例との相違は、テーブル板が色素増感太陽電池であることである。
以上に述べたのを総括して、本発明はポータブルで、室内で灯具の光源または室外の太陽光の照明のもとで携帯電話に充電する効果があり、多様な光源を利用可能な新規な充電装置である。
【図面の簡単な説明】
【００３８】
【図１】従来の携帯電話の充電を示す図。
【図２】従来の太陽電池による充電を示す図。
【図３】本発明の多様な光源で使用可能な充電装置の第１実施例の斜視図。
【図４】本発明の多様な光源で使用可能な充電装置のモジュールを示す。
【図５】本発明の多様な光源で使用可能な充電装置の充電回路モジュールの回路図。
【図６】本発明の色素増感太陽電池の原理を示す。
【図７】本発明の多様な光源で使用可能な充電装置の第２実施例の斜視図。
【図８】本発明の多様な光源で使用可能な充電装置の第２実施例の分解斜視図。
【図９】本発明の多様な光源で使用可能な充電装置の第３実施例の斜視図。
【図１０】本発明の多様な光源で使用可能な充電装置の第３実施例の分解斜視図。
【図１１】本発明の多様な光源で使用可能な充電装置の第３実施例の正面図。
【図１２】本発明の多様な光源で使用可能な充電装置の第３実施例の分解斜視図。
【図１３】本発明の多様な光源で使用可能な充電装置の第４実施例の斜視図。
【図１４】本発明の多様な光源で使用可能な充電装置の第４実施例のブロック図。
【図１５】本発明の多様な光源で使用可能な充電装置の第５実施例の斜視図。
【図１６】本発明の多様な光源で使用可能な充電装置の第５実施例のブロック図。
【図１７】本発明の多様な光源で使用可能な充電装置の第６実施例の斜視図。
【図１８】本発明の多様な光源で使用可能な充電装置の第６実施例の分解斜視図。
【図１９】本発明の多様な光源で使用可能な充電装置の第７実施例の斜視図。
【図２０】本発明の多様な光源で使用可能な充電装置の第８実施例の斜視図。
【図２１】本発明の多様な光源で使用可能な充電装置の第９実施例の斜視図。
【図２２】本発明の多様な光源で使用可能な充電装置の第９実施例の斜視図。
【図２３】本発明の多様な光源で使用可能な充電装置の第１０実施例の斜視図。
【図２４】本発明の多様な光源で使用可能な充電装置の第１１実施例の斜視図。
【図２５】本発明の多様な光源で使用可能な充電装置の第１２実施例の斜視図。
【符号の説明】
【００３９】
１…太陽電池、２…充電回路モジュール、３…アダプタ、４…第１電池、５…第２電池、６…第１導線、７，８…ピボット、９…第３電池、１０…第４電池、１１…第２導線、１２…第１凸レール、１３…第２凸レール、５１…充電回路モジュール、５２…アダプタ、７１…第１軸カバー、７２…第３軸カバー、７３…第１軸体、８１…第２軸カバー、８２…第４軸カバー、８３…第２軸体、９１…収納槽、９２…第１レール槽、９３…第２レール槽、９４…充電回路モジュール、９５…アダプタ、１００…第１電極、１０１…第１導電層、１０２…白金触媒層、１０３…第１基材、１０４…第１透明導電酸化物、２００…第２電極、２０１…第２導電層、２０２…第２基材、２０３…第２透明導電酸化物、３００…ナノ層、３０１…光半導体酸化物、３０２…色素、３０３…電解液、１００，１０６，１０８，２２２，２２４，２２８，３３１，３３５…充電装置、１０２，１０９，２２５，３３２…本体、１０３，１１０，２２６，３３３…太陽電池、１０４…充電回路モジュール、１０５，１１２，２２７，３３４…充電座、１０７，２２３…アダプタ、１１３…第１板、１１４…第２板、１１５…第３導線、１１６…第１軸カバー、１１７…第２軸カバー、１１８…第３軸カバー、１１９…第４軸カバー、２２０…第１軸体、２２１…第２軸体、２２５１…四角錐形座体、２２９…四角錐形体、２３０…ピボット、３３６…蓄電素子。
【図１】
2009153372.tif 000006
【図２】
2009153372.tif 000007
【図３】
2009153372.tif 000008
【図４】
2009153372.tif 000009
【図５】
2009153372.tif 000010
【図７】
2009153372.tif 000011
【図８】
2009153372.tif 000012
【図９】
2009153372.tif 000013
【図１０】
2009153372.tif 000014
【図１１】
2009153372.tif 000015
【図１２】
2009153372.tif 000016
【図１３】
2009153372.tif 000017
【図１４】
2009153372.tif 000018
【図１５】
2009153372.tif 000019
【図１６】
2009153372.tif 000020
【図１７】
2009153372.tif 000021
【図１８】
2009153372.tif 000022
【図１９】
2009153372.tif 000023
【図２０】
2009153372.tif 000024
【図２１】
2009153372.tif 000025
【図２２】
2009153372.tif 000026
【図２３】
2009153372.tif 000027
【図２４】
2009153372.tif 000028
【図２５】
2009153372.tif 000029
【図６】
2009153372.tif 000030